(57)【要約】【課題】  ベゼルを２つの部材に分割して構成した場合に、それらの２つの部材を矩形枠形に突き合わせたときの突合せ箇所の隙間の安定性を高め、２つの部材の結合作業性を向上させ、ビス止め箇所を極力少なくしてコストダウンを図る。【解決手段】  矩形枠形のベゼルＡを、対角方向の２つのコーナ部で、第１及び第２の２つのＬ形部材５，６に分割する。ビス止め片１を形成する２つの突片１１，１２をＬ形部材５，６の分割端に各別に連設し、それら２つの突片５，６に位置決め機構を具備させる。位置決め機構は、挟持面１３ａと係合片部１４，１５とを有する。挟持面１３ａは、突片１１の２箇所を同一方向に折り曲げることにより形成する。【選択図】        図２
2007017835.tif 000002
【特許請求の範囲】
【請求項１】
液晶パネルの外周に嵌合されて枠フレームとの間に上記液晶パネルを挟み込み、かつ、外向きに突き出たビス止め片が４つのコーナ部のそれぞれに備わっている矩形枠形のベゼルにおいて、
対角方向の２つのコーナ部で第１及び第２の２つのＬ形部材に分割され、互いに重ね合わされて上記対角方向の２つのコーナ部に位置する上記ビス止め片を形成する２つの突片が、２つの上記Ｌ形部材の互いに突き合わされる分割端に各別に連設されていると共に、それら２つの突片に、直交する２軸方向でそれらの突片を相互に位置決めする位置決め機構が具備され、
上記位置決め機構が、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなり、一対の上記挟持面が、一方側の突片の２箇所を同一方向に折り曲げることにより形成された溝形部の相対向する溝壁面によって形成されていることを特徴とするベゼル。
【請求項２】
液晶パネルの外周に嵌合されて枠フレームとの間に上記液晶パネルを挟み込み、かつ、外向きに突き出たビス止め片が４つのコーナ部のそれぞれに備わっている矩形枠形のベゼルにおいて、
対角方向の２つのコーナ部で第１及び第２の２つのＬ形部材に分割され、互いに重ね合わされて上記対角方向の２つのコーナ部に位置する上記ビス止め片を形成する２つの突片が、２つの上記Ｌ形部材の互いに突き合わされる分割端に各別に連設されていると共に、それら２つの突片に、直交する２軸方向でそれらの突片を相互に位置決めする位置決め機構が具備されていることを特徴とするベゼル。
【請求項３】
上記位置決め機構は、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなる請求項２に記載したベゼル。
【請求項４】
液晶パネルの外周に嵌合されてその液晶パネルを枠フレームとの間で挟持する矩形枠形のベゼルを備え、そのベゼルが、４つのコーナ部のそれぞれに外向きに突き出たビス止め片を備え、かつ、対角方向の２つのコーナ部で２つのＬ形部材に分割されている液晶モジュールにおいて、
２つの上記Ｌ形部材を矩形枠形に突き合わせてベゼルを形成させたときに、それらのＬ形部材の分割端同士を仮固定するための第１係止手段と、
枠フレームの複数箇所に設けられた係合突起と、Ｌ形部材の複数箇所に形成されて上記係合突起が係脱可能な係合孔部とにより形成されて、上記Ｌ形部材を上記枠フレームに仮固定するための第２係止手段と、
枠フレームのコーナ部に設けられて上記Ｌ形部材の入隅状の内面に当接してそのＬ形部材を位置決めするリブでなり、ベゼルが嵌合している液晶パネルの中心に対してそのベゼルを位置決めする心合わせ手段と、
上記ビス止め片を上記枠フレームに固定するための止めビスと、
を備え、
上記第１係止手段が、互いに重ね合わされて上記対角方向の２つのコーナ部に位置する上記ビス止め片を形成する２つの突片を有し、それらの突片が、２つの上記Ｌ形部材の互いに突き合わされる分割端に各別に連設されていると共に、それら２つの突片に、直交する２軸方向でそれらの突片を相互に位置決めする位置決め機構が具備され、その位置決め機構が、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなり、その一対の上記挟持面が、一方側の突片の２箇所を同一方向に折り曲げることにより形成されて他方側の突片が嵌脱可能な溝形部の相対向する溝壁面によって形成されていることを特徴とするベゼルを有する液晶モジュール。
【請求項５】
液晶パネルの外周に嵌合されてその液晶パネルを枠フレームとの間で挟持する矩形枠形のベゼルを備え、そのベゼルが、４つのコーナ部のそれぞれに外向きに突き出たビス止め片を備え、かつ、対角方向の２つのコーナ部で２つのＬ形部材に分割されている液晶モジュールにおいて、
２つの上記Ｌ形部材を矩形枠形に突き合わせてベゼルを形成させたときに、それらのＬ形部材の分割端同士を仮固定するための第１係止手段と、
上記Ｌ形部材を上記枠フレームに仮固定するための第２係止手段と、
上記枠フレームに設けられて、ベゼルが嵌合している液晶パネルの中心に対してそのベゼルを位置決めする心合わせ手段と、
上記ビス止め片を上記枠フレームに固定するための止めビスと、
を備えていることを特徴とするベゼルを有する液晶モジュール。
【請求項６】
上記第１係止手段が、互いに重ね合わされて上記対角方向の２つのコーナ部に位置する上記ビス止め片を形成する２つの突片を有し、それらの突片が、２つの上記Ｌ形部材の互いに突き合わされる分割端に各別に連設されていると共に、それら２つの突片に、直交する２軸方向でそれらの突片を相互に位置決めする位置決め機構が具備されている請求項５に記載したベゼルを有する液晶モジュール。
【請求項７】
上記位置決め機構は、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなる請求項６に記載したベゼルを有する液晶モジュール。
【請求項８】
一対の上記挟持面が、一方側の突片の２箇所を同一方向に折り曲げることにより形成された溝形部の相対向する溝壁面によって形成されている請求項７に記載したベゼルを有する液晶モジュール。
【請求項９】
上記第２係止手段が、枠フレームの複数箇所に設けられた係合突起と、上記Ｌ形部材の複数箇所に形成されて上記係合突起が係脱可能な係合孔部とでなる請求項５ないし請求項８のいずれか１項に記載したベゼルを有する液晶モジュール。
【請求項１０】
上記心合わせ手段が、枠フレームのコーナ部に設けられて上記Ｌ形部材の入隅状の内面に当接してそのＬ形部材を位置決めするリブでなる請求項９に記載したベゼルを有する液晶モジュール。
【発明の詳細な説明】
【技術分野】
【０００１】
本発明は、ベゼル、特に、枠フレームとの間に液晶パネルを挾み込む矩形枠形のベゼルに関する。また、本発明は、ベゼルを有する液晶モジュール、特に、ベゼルの外向きに突き出たビス止め片を利用してそのベゼルを枠フレームにビス止めするようになっているベゼルを有する液晶モジュールに関する。
【背景技術】
【０００２】
従来、液晶ディスプレイ用フレーム枠を２分割すると共に、その突合せ部の強度を高めたり接合作業を容易にするための対策が提案されていた（たとえば、特許文献１参照）。また、あまり広いスペースを要することなく液晶パネルを固定することのできる液晶パネル固定構造も提案されていた（たとえば、特許文献２参照）。
【０００３】
一方、テレビジョン受像機に用いられる液晶モジュールでは、液晶パネルの外周に嵌合した矩形枠形のベゼルを枠フレームにビス止めすることによって、液晶パネルをベゼルと枠フレームとの間で挟持させて取り付けることが行われている。このような液晶モジュールに採用されるベゼルＡは、板金から矩形枠形に内抜き加工して図１０の形状に製作することができるけれども、そのようにすると、打抜き箇所の内側の広い範囲で多くの材料ロスが発生してコスト高になる。そこで、そのような材料ロスの発生を抑えるために、ベゼルを２つの部材に分割してそれぞれの部材を板金製のワークから打ち抜くということが行われた。このようにすると、２つの部材の打抜きパターンを適切に選択することによって材料ロスの発生を少なく抑えることができる。
【０００４】
ところで、ベゼルを２つの部材に分割する場合には、それら２つの部材を矩形枠形に突き合わせて結合する場合に、その突合せ箇所の隙間広さのばらつきを無くする（隙間安定性）ことや、突合せ箇所を結合するときの作業性を高めることは、コストダウンを図る上で上記した材料ロスの発生をすくなく抑えることと併せて重要視される事項である。
【特許文献１】特開２００３−５１５６号公報
【特許文献２】特開平１１−１３３８８１号公報
【発明の開示】
【発明が解決しようとする課題】
【０００５】
本発明は以上の状況の下でなされたものであり、ベゼルを２つの部材に分割して構成した場合に、それらの２つの部材を矩形枠形に突き合わせたときの突合せ箇所の隙間の安定性を高めることができるだけでなく、２つの部材の結合作業性を向上させることができ、さらには、そのベゼルを枠フレームに固定する際のビス止め箇所を極力少なくしてコストダウンを図ることの可能なベゼルを提供することを目的とする。
【０００６】
また、本発明は、上記のようなベゼルを用いた液晶モジュールを提供することを目的とする。
【課題を解決するための手段】
【０００７】
本発明に係るベゼルは、液晶パネルの外周に嵌合されて枠フレームとの間に上記液晶パネルを挟み込み、かつ、外向きに突き出たビス止め片が４つのコーナ部のそれぞれに備わっている矩形枠形のベゼルにおいて、対角方向の２つのコーナ部で第１及び第２の２つのＬ形部材に分割され、互いに重ね合わされて上記対角方向の２つのコーナ部に位置する上記ビス止め片を形成する２つの突片が、２つの上記Ｌ形部材の互いに突き合わされる分割端に各別に連設されていると共に、それら２つの突片に、直交する２軸方向でそれらの突片を相互に位置決めする位置決め機構が具備されている。
【０００８】
この構成であると、一方のＬ形部材の入隅部に他方のＬ形部材の出隅部を合わせたパターンでそれら２つのＬ形部材を板金から打ち抜くことができるので、打抜きに際して発生する材料ロスを極力少なく抑えることが可能になる。また、ビス止め片がそれぞれのＬ形部材の分割端に連設された突片によって形成され、それらの突片に直交する２軸方向でそれらの突片を相互に位置決めする位置決め機構が具備されていることにより、その位置決め機構によって２つの突片が位置決めされることを通じて２つのＬ形部材が相互に位置決めされて隙間安定性が確保され、しかも、２つのＬ形部材を位置決めした状態でビス止め片をビス止めすることが可能になるのでそれだけビス止めによる結合作業性が向上する。      
【０００９】
このベゼルにおいて、上記位置決め機構は、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなることが望ましい。
【００１０】
また、本発明に係るベゼルは、液晶パネルの外周に嵌合されて枠フレームとの間に上記液晶パネルを挟み込み、かつ、外向きに突き出たビス止め片が４つのコーナ部のそれぞれに備わっている矩形枠形のベゼルにおいて、対角方向の２つのコーナ部で第１及び第２の２つのＬ形部材に分割され、互いに重ね合わされて上記対角方向の２つのコーナ部に位置する上記ビス止め片を形成する２つの突片が、２つの上記Ｌ形部材の互いに突き合わされる分割端に各別に連設されていると共に、それら２つの突片に、直交する２軸方向でそれらの突片を相互に位置決めする位置決め機構が具備され、上記位置決め機構が、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなり、一対の上記挟持面が、一方側の突片の２箇所を同一方向に折り曲げることにより形成された溝形部の相対向する溝壁面によって形成されている、という構成を採用することによっていっそう具体化される。この発明に係るベゼルの作用は、後述する実施形態を参照して詳細に説明する。
【００１１】
本発明に係るベゼルを有する液晶モジュールは、液晶パネルの外周に嵌合されてその液晶パネルを枠フレームとの間で挟持する矩形枠形のベゼルを備え、そのベゼルが、４つのコーナ部のそれぞれに外向きに突き出たビス止め片を備え、かつ、対角方向の２つのコーナ部で２つのＬ形部材に分割されている。そして、２つの上記Ｌ形部材を矩形枠形に突き合わせてベゼルを形成させたときに、それらのＬ形部材の分割端同士を仮固定するための第１係止手段と、上記Ｌ形部材を上記枠フレームに仮固定するための第２係止手段と、上記枠フレームに設けられて、ベゼルが嵌合している液晶パネルの中心に対してそのベゼルを位置決めする心合わせ手段と、上記ビス止め片を上記枠フレームに固定するための止めビスと、を備えている。
【００１２】
この構成であれば、ベゼルを枠フレームにビス止めするときに、２つのＬ形部材の分割端同士が第１係止手段によって仮固定され、かつ、枠フレームにＬ形部材が第２係止手段によって仮固定されるために、そのビス止め作業を容易に行うことができるようになることに加えて、心合わせ手段によって液晶パネルの中心に対してベゼルが位置決めされるために、ベゼルが心ずれして組立不良に陥るおそれがなくなる。
【００１３】
この液晶モジュールでは、上記第１係止手段が、互いに重ね合わされて上記対角方向の２つのコーナ部に位置する上記ビス止め片を形成する２つの突片を有し、それらの突片が、２つの上記Ｌ形部材の互いに突き合わされる分割端に各別に連設されていると共に、それら２つの突片に、直交する２軸方向でそれらの突片を相互に位置決めする位置決め機構が具備されていることが望ましい。これによれば、位置決め機構によって２つの突片が位置決めされることを通じて２つのＬ形部材が相互に位置決めされて隙間安定性が確保され、しかも、２つのＬ形部材を位置決めした状態でビス止め片をビス止めすることが可能になるのでそれだけビス止めによる結合作業性が向上するというベゼル自体によって奏される作用が発揮される。
【００１４】
この液晶モジュールにおいて、上記位置決め機構は、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなる、という構成を採用することが可能である。また、一対の上記挟持面が、一方側の突片の２箇所を同一方向に折り曲げることにより形成された溝形部の相対向する溝壁面によって形成されているという構成を採用することも可能である。これらの各発明によっても、既述したベゼル自体によって奏される作用が発揮される。
【００１５】
この液晶モジュールでは、上記第２係止手段が、枠フレームの複数箇所に設けられた係合突起と、上記Ｌ形部材の複数箇所に形成されて上記係合突起が係脱可能な係合孔部とでなることが望ましい。これによれば、枠フレーム側の係合突起にＬ形部材の係合孔部を係合させるだけで、Ｌ形部材が枠フレームに対して仮固定される。しかも、第２係止手段に別部品が用いられていないために部品点数が増加するということにもならない。
【００１６】
また、上記心合わせ手段が、枠フレームのコーナ部に設けられて上記Ｌ形部材の入隅状の内面に当接してそのＬ形部材を位置決めするリブでなるという構成を採用することが望ましく、これによれば、部品点数を増加させずにＬ形部材を液晶パネルの中心に対して位置決めすることが可能になる。
【００１７】
本発明に係るベゼルを有する液晶モジュールは、液晶パネルの外周に嵌合されてその液晶パネルを枠フレームとの間で挟持する矩形枠形のベゼルを備え、そのベゼルが、４つのコーナ部のそれぞれに外向きに突き出たビス止め片を備え、かつ、対角方向の２つのコーナ部で２つのＬ形部材に分割されている液晶モジュールにおいて、２つの上記Ｌ形部材を矩形枠形に突き合わせてベゼルを形成させたときに、それらのＬ形部材の分割端同士を仮固定するための第１係止手段と、枠フレームの複数箇所に設けられた係合突起と、Ｌ形部材の複数箇所に形成されて上記係合突起が係脱可能な係合孔部とにより形成されて、上記Ｌ形部材を上記枠フレームに仮固定するための第２係止手段と、枠フレームのコーナ部に設けられて上記Ｌ形部材の入隅状の内面に当接してそのＬ形部材を位置決めするリブでなり、ベゼルが嵌合している液晶パネルの中心に対してそのベゼルを位置決めする心合わせ手段と、上記ビス止め片を上記枠フレームに固定するための止めビスと、を備え、上記第１係止手段が、互いに重ね合わされて上記対角方向の２つのコーナ部に位置する上記ビス止め片を形成する２つの突片を有し、それらの突片が、２つの上記Ｌ形部材の互いに突き合わされる分割端に各別に連設されていると共に、それら２つの突片に、直交する２軸方向でそれらの突片を相互に位置決めする位置決め機構が具備され、その位置決め機構が、一方側の突片に設けられて他方側の突片をその両側で挟む一対の挟持面と、両方の突片に各別に設けられて他方側の突片が一対の上記挟持面で挟まれているときに、その挟持面による他方側の突片の挟持方向に直交する方向で互いに係合する一対の係合片部とでなり、その一対の上記挟持面が、一方側の突片の２箇所を同一方向に折り曲げることにより形成されて他方側の突片が嵌脱可能な溝形部の相対向する溝壁面によって形成されている、という構成を採用することによっていっそう具体化される。この発明の作用は、後述する実施形態を参照して詳細に説明する。
【発明の効果】
【００１８】
以上のように、本発明に係るベゼルによれば、ベゼルを２つの部材に分割して構成した場合に、それらの２つの部材を矩形枠形に突き合わせたときの突合せ箇所の隙間の安定性が高まるだけでなく、２つの部材の結合作業性が向上し、さらには、そのベゼルを枠フレームに固定する際のビス止め箇所を極力少なくしてコストダウンを図ることが可能になる。そのため、組立作業性が改善されて量産性が向上するだけでなく、隙間安定性が保たれた見栄えのよいベゼルを提供することが可能になる。
【００１９】
本発明に係るベゼルを有する液晶モジュールによれば、部品点数を増やさずに、ベゼルを枠フレームにビス止めするときのビス止め作業を容易に行うことができるようになって組立作業性が向上し、併せて、ベゼルが心ずれして組立不良に陥るおそれがないという卓越した効果が奏される。そのほか、第２係止手段などの作用によって、ビス止め点数を最少限度に抑えることができるようになり、そのことも組立作業性の向上やコストダウンに有利に働く。
【発明を実施するための最良の形態】
【００２０】
図１は本発明の実施形態に係るベゼルＡの組立状態での平面図、図２は２つのＬ形部材５，６の平面図、図３（Ａ）は図２のＩＩＩＡ部拡大図、図３（Ｂ）は図２のＩＩＩＢ部拡大図、図４（Ａ）は図２のＩＶＡ部拡大図、図４（Ｂ）は図２のＩＶＢ部拡大図、図５は図２のＶ矢視図、図６は図２のＶＩ矢視図、図７は枠フレーム７の平面図、図８は図７のＶＩＩＩ矢視図、図９は図１のＩＸ部拡大図である。
【００２１】
図１のようにベゼルＡは矩形枠形に形成されていて、その４つのコーナ部に外向きに突き出たビス止め片１，２，３，４が備わっている。このベゼルＡは金属製であり、図示していない液晶パネルの外周に嵌合されてその液晶パネルを図７に示した枠フレーム７との間で挟持して取り付けることに用いられる。
【００２２】
図２のように、ベゼルＡは対角方向に位置する２つのコーナ部で第１Ｌ形部材５と第２Ｌ形部材６とに分割されていて、これら２つのＬ形部材５，６を矩形枠形に突き合わせて結合することによって矩形枠形のベゼルが構成される。このようにベゼルＡを第１Ｌ形部材５と第２Ｌ形部材６とに分割しておくと、一方側のＬ形部材５の入隅部に他方側のＬ形部材６の出隅部を合わせた打抜きパターンでそれらを打ち抜くことができるために、材料ロスが少なくなってそれだけ材料コストが低減化される。
【００２３】
２つのＬ形部材５，６のそれぞれは、それらの各辺部の断面形状が図９に示されているようにＬ形に形成されている。２つのＬ形部材５，６を矩形枠形に突き合わせたときに対向方向に位置する２つのビス止め片１，２のうちの一方は、図３（Ａ）（Ｂ）のように、第１Ｌ形部材５の分割端に連設された突片１１と第２Ｌ形部材６の分割端に連設された突片１２とを互いに重ね合わせることによって形成されるようになっていて、それら２つの突片１１，１２には、相互に位置決めする作用を発揮する位置決め機構が備わっている。この位置決め機構は、一方側の突片１１の２箇所を同一方向に折り曲げることにより形成された溝形部１３の相対向する溝壁面によって形成されている一対の挟持面１３ａ，１３ａと、図９のように他方側の突片１２が上記溝形部１３に嵌合して一対の挟持面１３ａ，１３ａによって挟まれているときに、その挟持面１３ａ，１３ａによる他方側の突片１２に対する挟持方向に直交する方向で互いに係合する一対の係合片部１４，１５とでなり、図示例では、一方側の係合片部１４が一方側の突片１１に曲成され、他方側の係合片部１５が一方側の突片１２に形成されている。
【００２４】
そして、上記した２つのＬ形部材５，６を矩形枠形に突き合わせてベゼルＡを形成させたときに、それらのＬ形部材５，６の分割端同士を仮固定するための第１係止手段が、上記位置決め機構を有する２つの突片によって形成されている。
【００２５】
また、２つのＬ形部材５，６を矩形枠形に突き合わせたときに対向方向に位置する２つのビス止め片１，２のうちの他方は、図４（Ａ）（Ｂ）のように、第１Ｌ形部材５の分割端に連設された突片１６と第２Ｌ形部材６の分割端に連設された突片１７とを互いに重ね合わせることによって形成されるようになっていて、それら２つの突片１６，１７にも、相互に位置決めする作用を発揮する位置決め機構が備わっている。この位置決め機構は、一方側の突片１６の先端に曲成された係止片１８と、他方側の突片１７に設けられて上記係止経１８が嵌合状に係止する係止孔１９とでなり、係止片１８が係止孔１９に係止することによって、それらの突片１６，１７が互いに直交する２軸方向で相互に位置決めされる。
【００２６】
次に、図７及び図８に示したように、枠フレーム７は枠形矩形の樹脂成形体でなり、この枠フレーム７の２つの２つの長辺部の外向き面の複数箇所に係合突起８１，８２が備わっている。これに対し、２つのＬ形部材５，６の長辺部の複数箇所には、一方のＬ形部材５について図５又は図６に示したように係合孔部８３，８４が形成されている。そして、これらの係合突起８１，８２と係合孔部８３，８４とによって、２つのＬ形部材５，６を枠フレーム７に仮固定するための第２係止手段が形成されている。
【００２７】
さらに、枠フレーム７の４つのコーナ部のそれぞれには、コーナ部を跨いで延びる位置決めリブ７１が備わり、これらの位置決めリブ７１は、この枠フレーム７に取り付けられる液晶パネルの中心に対して高い精度で位置合わせされている。そして、これらの位置決めリブ７１が、２つのＬ形部材５，６を枠フレーム７に重ね合わせたときに、それらのＬ形部材５，６の内面が当接してそれぞれのＬ形部材５，６によって形成されたベゼルＡを液晶パネルの中心に対して位置決めする心合わせ手段を構成している。
【００２８】
以上の構成で、液晶パネルを枠フレーム７に取り付けるときには、その枠フレーム７の上に液晶パネルを位置決めして載置することと、その液晶パネルの外周に２つのＬ形部材５，６を嵌合してそれらのＬ形部材５，６を矩形枠形に突き合わせると共に、図２〜図３に示してある互いに対応している突片１１，１２と突片１６，１７とを重ね合わせる。このようにすると、突片１１，１２の重なり箇所では、図９を参照して既述したように、他方側の突片１２が一方側の突片１１の溝形部１３に嵌合して一対の挟持面１３ａ，１３ａにより挟まれ、かつ、一対の係合片部１４，１５が互いに係合してそれらの突片１１，１２が相互に２軸方向で位置決めされる。この状態は仮固定状態である。突片１６，１７の重なり箇所についても、既述したように２つの突片１６，１７が相互に位置決めされて仮固定状態になる。
【００２９】
また、液晶パネルの外周に２つのＬ形部材５，６を嵌合してそれらのＬ形部材５，６を矩形枠形に突き合わせるときには、枠フレーム７側の係合突起８１，８２に２つのＬ形部材５，６側の係合孔部８３，８４を係合させて、２つのＬ形部材５，６を枠フレーム７に仮固定する。
【００３０】
そして、２つのＬ形部材５，６を矩形枠形に突き合わせることによって形成したベゼルＡの４つのコーナ部のそれぞれのビス止め片１，２，３，４の挿通孔に挿通させた止めビス（不図示）を、枠フレーム７側のねじ孔にねじ込んで締め付ける。
【００３１】
こうして液晶パネルを枠フレーム７に取り付けた状態では、枠フレーム７の４つのコーナ部に設けられている位置決めリブ７１のそれぞれにベゼルＡの４つのコーナ部の内面が当接してそのベゼルＡが液晶パネルの中心に対して心合わせされる。したがって、ベゼルＡが位置ずれして組立不良を生じることがなくなる。
【００３２】
また、液晶パネルの外周に嵌合した２つのＬ形部材５，６のビス止め片１〜４をビス止めする際、突片１１，１２によって形成されているビス止め片１のビス止め箇所と、突片１６，１７によって形成されているビス止め片２のビス止め箇所とでは、あらかじめそれらの突片１１，１２と突片１６，１７とが仮固定されており、しかも、枠フレーム７に対してもあらかじめ各Ｌ形部材５，６が仮固定されているので、ビス止め作業を迅速にかつ正確に行うことができるようになる。
【図面の簡単な説明】
【００３３】
【図１】本発明の実施形態に係るベゼルの組立状態での平面図である。
【図２】２つのＬ形部材の平面図である。
【図３】（Ａ）は図２のＩＩＩＡ部拡大図、（Ｂ）は図２のＩＩＩＢ部拡大図である。
【図４】（Ａ）は図２のＩＶＡ部拡大図、（Ｂ）は図２のＩＶＢ部拡大図である。
【図５】図２のＶ矢視図である。
【図６】図２のＶＩ矢視図である。
【図７】枠フレームの平面図である。
【図８】図７のＶＩＩＩ矢視図である。
【図９】図１のＩＸ部拡大図である。
【図１０】矩形枠形に打ち抜いて形成されたベゼルの平面図である。
【符号の説明】
【００３４】
Ａ  ベゼル
１，２，３，４  ビス止め片
５  第１Ｌ形部材
６  第２Ｌ形部材
７  枠フレーム
１１，１２，１６，１７  突片
１３ａ  挟持面
１４，１５  係合片部
７１  位置決めリブ
８１，８２  係合突起
８３，８４  係合孔部
【図１】
2007017835.tif 000003
【図２】
2007017835.tif 000004
【図３】
2007017835.tif 000005
【図４】
2007017835.tif 000006
【図５】
2007017835.tif 000007
【図６】
2007017835.tif 000008
【図７】
2007017835.tif 000009
【図８】
2007017835.tif 000010
【図９】
2007017835.tif 000011
【図１０】
2007017835.tif 000012